(57)【特許請求の範囲】
【請求項１】
一方のコネクタを被着体の取付穴に一方の面から挿入して仮係止し、前記被着体の他方の面から他方のコネクタを該一方のコネクタに挿入し、嵌合と同時に前記一方のコネクタと前記取付穴との仮係止を解除し、前記他方のコネクタを更に前記取付穴に挿入することにより該他方のコネクタを前記取付穴に本固定するコネクタ嵌合方法において、
前記被着体の取付穴に設けたコネクタ固定用アームを前記一方のコネクタに係止することで該一方のコネクタを前記取付穴に仮係止し、前記他方のコネクタと前記一方のコネクタとの嵌合と同時に前記他方のコネクタの挿入力によって前記コネクタ固定用アームを弾性変形させて前記一方のコネクタと前記取付穴との仮係止を解除することを特徴とするコネクタ嵌合方法。
【請求項２】
一方のコネクタを被着体の取付穴に一方の面から挿入して仮係止し、前記被着体の他方の面から他方のコネクタを該一方のコネクタに挿入し、嵌合と同時に前記一方のコネクタと前記取付穴との仮係止を解除し、前記他方のコネクタを更に前記取付穴に挿入することにより該他方のコネクタを前記取付穴に本固定するコネクタ嵌合方法において、
前記一方のコネクタに設けた仮固定片を前記被着体の取付穴に係止することで該一方のコネクタを前記取付穴に仮係止し、前記他方のコネクタと前記一方のコネクタとの嵌合と同時に前記他方のコネクタの挿入力によって前記仮固定片を折り畳んで前記一方のコネクタと前記取付穴との仮係止を解除することを特徴とするコネクタ嵌合方法。
【請求項３】
一方のコネクタを被着体の取付穴に一方の面から挿入して仮係止し、前記被着体の他方の面から他方のコネクタを該一方のコネクタに挿入し、嵌合と同時に前記一方のコネクタと前記取付穴との仮係止を解除し、前記他方のコネクタを更に前記取付穴に挿入することにより該他方のコネクタを前記取付穴に本固定するコネクタ嵌合方法において、
前記一方のコネクタに設けた弾性アームのセミロック突起を前記被着体の取付穴に係止することで該一方のコネクタを前記取付穴に仮係止し、前記他方のコネクタの挿入力により前記弾性アームを押し拡げて前記セミロック突起を取付穴に押圧した後、前記一方のコネクタとの嵌合と同時に前記他方のコネクタの挿入力によって前記セミロック突起を取付穴から外し、前記一方のコネクタと前記取付穴との仮係止を解除することを特徴とするコネクタ嵌合方法。
【請求項４】
前記セミロック突起を取付穴から外し、前記一方のコネクタと前記取付穴との仮係止を解除した後、前記他方のコネクタの胴部外周に嵌着したグロメットを取付穴に嵌着して該他方のコネクタを被着体に本固定することを特徴とする請求項３記載のコネクタ嵌合方法。
【請求項５】
一方のコネクタと、該一方のコネクタを被着体の取付穴に仮係止する仮係止手段と、該一方のコネクタに嵌合するとともに該嵌合のための挿入力によって前記一方のコネクタと取付穴との仮係止を解除する他方のコネクタと、該他方のコネクタを前記取付穴に本固定する本係止手段とを具備したコネクタにおいて、
前記仮係止手段は、前記取付穴の縁部に設けられ該取付穴の中央に向けて突出したコネクタ固定用アームと、前記一方のコネクタに設けられ該コネクタ固定用アームに解除可能に係合する係合孔とからなり、前記本係止手段は、前記他方のコネクタに設けられ前記コネクタ固定用アームに係合するコネクタ固定用孔とからなることを特徴とするコネクタ。
【請求項６】
一方のコネクタと、該一方のコネクタを被着体の取付穴に仮係止する仮係止手段と、該一方のコネクタに嵌合するとともに該嵌合のための挿入力によって前記一方のコネクタと取付穴との仮係止を解除する他方のコネクタと、該他方のコネクタを前記取付穴に本固定する本係止手段とを具備したコネクタにおいて、
前記仮係止手段は、前記一方のコネクタの上下面に突設した弾性アームと、該弾性アームの外面に形成され前記取付穴に係止するセミロック突起と、前記一方のコネクタの左右側面に突設され該セミロック突起と共働して前記取付穴の縁部を挟持する補助アームとからなり、前記本係止手段は、前記他方のコネクタの外面に突設した凸部と、前記他方のコネクタの外面に設けられ可撓性を有し該凸部と共働して前記取付穴の縁部を挟持する本固定片とからなることを特徴とするコネクタ。
【請求項７】
前記本係止手段は、前記他方のコネクタの胴部外周に嵌着し前記取付穴に嵌入する周溝を外周に形成したグロメットであることを特徴とする請求項６記載のコネクタ。
【請求項８】
一方のコネクタと、該一方のコネクタを被着体の取付穴に仮係止する仮係止手段と、該一方のコネクタに嵌合するとともに該嵌合のための挿入力によって前記一方のコネクタと取付穴との仮係止を解除する他方のコネクタと、該他方のコネクタを前記取付穴に本固定する本係止手段とを具備したコネクタにおいて、
前記仮係止手段は、前記一方のコネクタの外面に突設した弾性アームと、該弾性アームの外面に形成され前記取付穴の表裏両縁側に係合可能な一対のセミロック突起とからなり、前記弾性アームが前記取付穴の縁部に対面する全ての外面に設けられたことを特徴とするコネクタ。
【請求項９】
前記本係止手段は、前記他方のコネクタの胴部外周に、該コネクタ後方に向かって先端が張り出し、かつ前記取付穴の縁部の一方側に係合可能な係止突起を備えた少なくとも一対の弾性係止片と、前記胴部外周の後端に嵌着され、前記取付穴の縁部の他方側に係合可能な係合部を備えたグロメットとからなり、前記係止突起と前記係合部とにより、前記取付穴の縁部を挟持するように構成されたことを特徴とする請求項６記載のコネクタ。
【請求項１０】
一方のコネクタと、該一方のコネクタを被着体の取付穴に仮係止する仮係止手段と、該一方のコネクタに嵌合するとともに該嵌合のための挿入力によって前記一方のコネクタと取付穴との仮係止を解除する他方のコネクタと、該他方のコネクタを前記取付穴に本固定する本係止手段とを具備したコネクタにおいて、
前記仮係止手段は、前記一方のコネクタの外面に突設した可撓性を有する弾性アームを備え、前記取付穴に該一方のコネクタを係止可能に張り出し、かつ前記弾性ア−ムの側面に連結され、該弾性ア−ムの先端よりも更に先端側に張出した誘い込み傾斜面を有するハネとを備えており、前記他方のコネクタには、前記ハネを撓ませて収納するハネ収納部を備えており、前記一方のコネクタと前記他方のコネクタとが最終嵌合状態になる前に、前記ハネが、前記ハネ収納部に撓みながら押し込まれるように構成されたことを特徴とするコネクタ。
【発明の詳細な説明】
【０００１】
【発明の属する技術分野】
本発明は、コネクタ嵌合方法及びそれに用いるコネクタに関し、更に詳しくは、嵌合時における完全嵌合と半嵌合との嵌合確認を容易にするものである。
【０００２】
【従来の技術】
コネクタには、車体貫通穴に係止したコネクタに対して相手方のコネクタを嵌合する所謂パネル取付け型のコネクタがある。この種のコネクタで例えば特開平５−９１６２８号公報に開示されるものを図１８乃至図２０に基づき説明する。図１８は配索方法を説明するドアの分解斜視図、図１９はトリム側コネクタの支持構造を示す分解斜視図、図２０はフレーム側コネクタの支持構造を示す分解斜視図である。ドアトリム１側に配索されたトリム側ハーネス３の一端部にはトリム側コネクタ５が備えられている。ドアトリム１の中間部下部側には、断面コ字状で、且つ開放側が向き合った状態で対のコネクタ支持体７がドアフレーム９側に向かって突出状に設けられている。トリム側コネクタ５にはゴムリング１１が装着される。トリム側コネクタ５は、外側面の両側にそれぞれ設けられた突起１３がゴムリング１１に設けられた係合孔１５に抜止状に係止された状態で、対のコネクタ支持体７間に圧入状に嵌合装着される。トリム側コネクタ５は、ゴムリング１１の弾性変形によりドアフレーム９方向と直交する平面内で、上下左右方向に若干の移動を許容した状態で姿勢保持される。
【０００３】
一方、トリム側コネクタ５と相対向するドアフレーム９側には、コネクタ支持凹部１７が設けられている。またドアフレーム９側に配索されたフレーム側ハーネス１９の中途部から分岐された端部にはフレーム側コネクタ２１が備えられている。そしてフレーム側コネクタ２１はコネクタ支持凹部１７内に嵌合され、フレーム側コネクタ２１の外側面の両側にそれぞれ設けられた可撓性を有する係止用突起２３を、コネクタ支持凹部１７内周面に設けられた係止孔２５に係止させた状態で装着している。ここにフレーム側コネクタ２１は係止用突起２３の可撓性により一方向の若干の移動を許容した状態で姿勢保持されている。
【０００４】
従って、図１８に示すように、トリム側ハーネス３が配索されたドアトリム１をフレーム側ハーネス１９が配索されたドアフレーム９に組付ければ、トリム側コネクタ５とフレーム側コネクタ２１とが自動的に互いに接続される。この際の両コネクタ５、２１の若干の位置ずれは、ゴムリング１１と係止用突起２３による自由度により吸収され、的確な接続が得られるようになっている。
この方法によれば、ドアフレーム９側の電装品とドアトリム１側の電装品との相互間にまたがる回路接続が存在する場合に有効であり、その回路接続も容易に行うことができる。
【０００５】
また、この種のパネル取付け型のコネクタとしてゴム製のグロメットを装着し、このグロメットをパネルに密着させることで防水シール機能を持たせた特開平８−３３００１９号公報に開示されるものを図２１に基づき説明する。図２１は従来の防水コネクタの分解斜視図である。
この例による防水コネクタ３１は、取付け穴３３を有して環境を内側と外側とに分けるパネル３５に対して内側から取り付けられる内側コネクタ３７と、外側から取り付けられる外側コネクタ３９とからなる。外側コネクタ３９は、電線の先端に圧着された端子金具（図示せず）を収納するコネクタハウジング４１と、このコネクタハウジング４１において電線が引き出される側の面を覆い、引き出された電線を束ねて一方側へ導くパネルシール用のグロメット４３と、このグロメット４３を覆い且つグロメット４３の周縁をパネル３５側に押さえ込んで保持するグロメットカバー４５とから構成されている。そして、内外両コネクタ３７、３９は上述グロメットカバー４５側から挿通されるボルト４７を内側コネクタ３７へ締め込むことによって連結状態となる。
【０００６】
このように構成した防水コネクタ３１では、先ず、グロメット４３の貫通孔４９を、基体４１ａを覆うカバー４１ｂ、４１ｃの係止突起５１、５３に挿入しながらコネクタハウジング４１にグロメット４３を被せ、各係止突起５１、５３の先端側を貫通孔４９から突出させておく。次に、グロメットカバー４５をグロメット４３に被せる。そして、グロメットカバー４５をグロメット４３に対し、各係止突起５１、５３が設けられていない面に沿ってスライドさせながら正規の組み付け位置へ移動させ、グロメット４３をパネル３５に密着させた状態で取り付けを完了させる。
【０００７】
【発明が解決しようとする課題】
しかしながら、上述した図１８乃至図２０に示した従来のコネクタでは、ドアトリム１をドアフレーム９に組付けることで、トリム側コネクタ５とフレーム側コネクタ２１とを間接的に位置決めし、両コネクタ５、２１を嵌合させていたので、両コネクタ５、２１の嵌合状況（半嵌合、完全嵌合）の確認がしにくい問題があった。
また、図２１により示した従来のコネクタでは、グロメット４３により内側コネクタ３７と外側コネクタ３９との嵌合部が隠れてしまうため、嵌合作業が行いにくいとともに、外側コネクタ３９を基体４１ａとこの基体４１ａの背面側を覆う一対のカバー４１ｂ、４１ｃとから構成し、更にグロメット４３を押さえ込んで保持するためのグロメットカバー４５とを必要とするため、部品点数が多くなり、これによっても嵌合作業性を低下させる問題があった。
本発明は上記状況に鑑みてなされたもので、その第一の目的とするところは嵌合確認が容易に行えるコネクタ嵌合方法及びそれに用いるコネクタを得ることにあり、第二の目的とするところはグロメットを用いる防水型のコネクタにおいても、嵌合確認、嵌合作業及び防水処理とが容易に行えるコネクタ嵌合方法及びそれに用いるコネクタを得ることにある。
【０００８】
【課題を解決するための手段】
上記目的を達成するための本発明に係るコネクタ嵌合方法は、一方のコネクタを被着体の取付穴に一方の面から挿入して仮係止し、前記被着体の他方の面から他方のコネクタを該一方のコネクタに挿入し、嵌合と同時に前記一方のコネクタと前記取付穴との仮係止を解除し、前記他方のコネクタを更に前記取付穴に挿入することにより該他方のコネクタを前記取付穴に本固定することを特徴とするものである。
そして、請求項１に係る発明は、前記被着体の取付穴に設けたコネクタ固定用アームを前記一方のコネクタに係止することで該一方のコネクタを前記取付穴に仮係止し、前記他方のコネクタと前記一方のコネクタとの嵌合と同時に前記他方のコネクタの挿入力によって前記コネクタ固定用アームを弾性変形させて前記一方のコネクタと前記取付穴との仮係止を解除することを特徴とするものである。
請求項２に係る発明は、前記一方のコネクタに設けた仮固定片を前記被着体の取付穴に係止することで該一方のコネクタを前記取付穴に仮係止し、前記他方のコネクタと前記一方のコネクタとの嵌合と同時に前記他方のコネクタの挿入力によって前記仮固定片を折り畳んで前記一方のコネクタと前記取付穴との仮係止を解除することを特徴とするものである。
請求項３に係る発明は、前記一方のコネクタに設けた弾性アームのセミロック突起を前記被着体の取付穴に係止することで該一方のコネクタを前記取付穴に仮係止し、前記他方のコネクタの挿入力により前記弾性アームを押し拡げて前記セミロック突起を取付穴に押圧した後、前記一方のコネクタとの嵌合と同時に前記他方のコネクタの挿入力によって前記セミロック突起を取付穴から外し、前記一方のコネクタと前記取付穴との仮係止を解除することを特徴とするものである。
請求項４に係る発明においては、前記セミロック突起を取付穴から外し、前記一方のコネクタと前記取付穴との仮係止を解除した後、前記他方のコネクタの胴部外周に嵌着したグロメットを取付穴に嵌着して該他方のコネクタを被着体に固定することを特徴とするものである。
また、本発明に係るコネクタは、一方のコネクタと、該一方のコネクタを被着体の取付穴に仮係止する仮係止手段と、該一方のコネクタに嵌合するとともに該嵌合のための挿入力によって前記一方のコネクタと取付穴との仮係止を解除する他方のコネクタと、該他方のコネクタを前記取付穴に本固定する本係止手段とを具備したことを特徴とするものである。
そして、請求項５に係る発明は、前記仮係止手段は、前記取付穴の縁部に設けられ該取付穴の中央に向けて突出したコネクタ固定用アームと、前記一方のコネクタに設けられ該コネクタ固定用アームに解除可能に係合する係合孔とからなり、前記本係止手段は、前記他方のコネクタに設けられ前記コネクタ固定用アームに係合するコネクタ固定用孔とからなることを特徴とするものである。
請求項６に係る発明は、前記仮係止手段は、前記一方のコネクタの上下面に突設した弾性アームと、該弾性アームの外面に形成され前記取付穴に係止するセミロック突起と、前記一方のコネクタの左右側面に突設され該セミロック突起と共働して前記取付穴の縁部を挟持する補助アームとからなり、前記本係止手段は、前記他方のコネクタの外面に突設した凸部と、前記他方のコネクタの外面に設けられ可撓性を有し該凸部と共働して前記取付穴の縁部を挟持する本固定片とからなることを特徴とするものである。
請求項７に係る発明は、前記本係止手段は、前記他方のコネクタの胴部外周に嵌着し前記取付穴に嵌入する周溝を外周に形成したグロメットであることを特徴とするものである。
【０００９】
また、請求項８に係る発明は、前記仮係止手段は、前記一方のコネクタの外面に突設した弾性アームと、該弾性アームの外面に形成され前記取付穴の表裏両縁側に係合可能な一対のセミロック突起とからなり、前記一方のコネクタにおいて、前記取付穴の縁部に対面する全ての外面に、前記弾性アームが設けられたことを特徴とするものである。
請求項９に係る発明は、前記本係止手段は、前記他方のコネクタの胴部外周に、該コネクタ後方に向かって先端が張り出し、かつ前記取付穴の縁部の一方側に係合可能な係止突起を備えた少なくとも一対の弾性係止片と、前記胴部外周の後端に嵌着され、前記取付穴の縁部の他方側に係合可能な係合部を備えたグロメットとからなり、前記係止突起と前記係合部とにより、前記取付穴の縁部を挟持するように構成されたことを特徴とするものである。
請求項１０に係る発明は、仮係止手段が、前記一方のコネクタの外面に突設した可撓性を有する弾性アームを備え、該弾性ア−ムの側面に連結されて、前記取付穴に該一方のコネクタを係止可能に張り出し、かつ該弾性ア−ムの先端よりも更に先端側に張出した誘い込み傾斜面を有するハネとを備えており、前記他方のコネクタには、前記ハネを撓ませて収納するハネ収納部を備えたことを特徴とするものである。
【００１０】
このコネクタ嵌合方法では、一方のコネクタと他方のコネクタとの嵌合と同時に、一方のコネクタが被着体から脱落し、その脱落の有無により両コネクタの嵌合確認が可能になる。
また、その際に発生するクリック感により、両コネクタの嵌合確認がより明確なものとなる。これに加えて、他方のコネクタの挿入時に、弾性アームを拡げてセミロック突起を取付穴に押しつけるようにすれば、嵌合前における一方のコネクタの仮係止強度が高められる。
更に、他方のコネクタの胴部外周にグロメットを装着すれば、他方のコネクタの挿入方向の一連の動作により、他方のコネクタがグロメットを介して被着体へ防水固定され、嵌合作業及び防水処理とが容易となる。
本発明に係るコネクタでは、他方のコネクタの挿入力により解除可能な仮係止手段によって一方のコネクタを仮係止し、仮係止状態の一方のコネクタに他方のコネクタを完全嵌合させた後、他方のコネクタを更に挿入することで、一方のコネクタの仮係止が解除され、次いで他方のコネクタが被着体に本係止される。
そして、一方のコネクタに係合孔を設け、他方のコネクタにコネクタ固定用孔を設け、両方の孔に係合するコネクタ固定用アームを取付穴に設けることで、仮係止状態での一方のコネクタの被着体への保持、嵌合時での一方のコネクタの脱落、更に、他方のコネクタと被着体への固定が可能となる。
また、一方のコネクタに仮固定片を設け、ハの字状に開いたこの仮固定片を被着体に係止する構造とすれば、コネクタ嵌合時における一方のコネクタの仮係止強度が高くなる。
また、弾性アームにセミロック突起を設け、他方のコネクタの挿入力により、弾性アームを弾性変形させてセミロック突起を取付穴から外すようにすれば、一方のコネクタと他方のコネクタとの嵌合時に、クリック感が発生する。
更に、他方のコネクタに設けたグロメットを本係止手段として被着体への固定を行えば、一方のコネクタに防水用部材を用いることなく、取付穴とコネクタとの間が防水シール可能となる。
【００１１】
また、本発明に係るコネクタにおいて、仮係止手段が、一方のコネクタの外面に突設した弾性アームと、該弾性アームの外面に形成され取付穴の表裏両縁側に係合可能な一対のセミロック突起とから構成されることにより、仮係止状態がしっかり固定できる。
さらに、一方のコネクタにおいて、取付穴の縁部に対面する全ての外面に、前記弾性アームが設けられた構成によれば、仮係止状態がしっかりかつセンター出しも確実にできる。
また、本発明に係るコネクタにおいて、本係止手段が、他方のコネクタの胴部外周に、該コネクタ後方に向かって先端が張り出し、かつ取付穴の縁部の一方側に係合可能な係止突起を備えた少なくとも一対の弾性係止片と、胴部外周の後端に嵌着され、取付穴の縁部の他方側に係合可能な係合部を備えたグロメットとからなり、係止突起と係合部とにより、取付穴の縁部を挟持するように構成されたことにより、一方のコネクタに防水用部材を用いることなく、取付穴とコネクタとの間が防水シール可能となるだけでなく、弾性係止片を撓ませることにより、本係止状態を解除することが容易にできる。
【００１２】
また、本発明に係るコネクタにおいて、仮係止手段は、前記一方のコネクタの外面に突設した可撓性を有する弾性アームを備え、該弾性ア−ムの側面に連結されて、前記取付穴に該一方のコネクタを係止可能に張り出し、かつ該弾性ア−ムの先端よりも更に先端側に張出した誘い込み傾斜面を有するハネとを備えており、前記他方のコネクタには、前記ハネを撓ませて収納するハネ収納部を備えた構成とすることができる。
このような構成によれば、この他方のコネクタの挿入のとき、ハネが他方のコネクタの挿入動作のガイド機能を発揮するので、斜め挿入を回避でき、両部材の嵌合係止を確実に行うことができる。
【００１３】
【発明の実施の形態】
以下、本発明に係るコネクタ嵌合方法及びそれに用いるコネクタの好適な実施の形態を図面を参照して詳細に説明する。
図１は本発明の第一実施形態を説明する分解斜視図、図２は第一実施形態によるコネクタ嵌合方法の手順を示す説明図である。
車両パネルなどの被着体６１には、矩形状の取付穴６３を穿設してある。取付穴６３の平行な二辺には穴中心に向けて突出した仮係止手段と本係止手段とを兼ねる一対のコネクタ固定用アーム６５を突設してある。コネクタ固定用アーム６５は、可撓性を有し、先端がくの字状に折り曲げられて被着体６１の表裏面側に弾性変形可能になっている。
【００１４】
例えばメス端子を装着したメスコネクタである一方のコネクタ６７のハウジング６９の後部上下面には、凸部７１を形成してある。また、ハウジング６９の前部上下面には、コネクタ固定用アーム６５が係合する仮係止手段（係合孔）７３を設けてある。従って、一方のコネクタ６７は、ハウジング６９の先端側を取付穴６３に挿入することで、弾性変形したコネクタ固定用アーム６５が係合孔７３に係合し、コネクタ固定用アーム６５を介して取付穴６３に仮係止されるようになっている。
【００１５】
例えばオス端子を装着したオスコネクタである他方のコネクタ７５のハウジング７７の後部上下面には、凸部７９を形成してある。他方のコネクタ７５は、ハウジング７７の先端が、一方のコネクタ６７の先端を収容するフード部８１となっている。このフード部８１の外形は、取付穴６３より小さく形成されている。フード部８１の上下面には、本係止手段（コネクタ固定用孔）８３を形成してあり、コネクタ固定用孔８３はコネクタ固定用アーム６５と係合するようになっている。
【００１６】
次に、この実施形態によるコネクタ嵌合方法を説明する。
図２に示すように、先ず、被着体６１には、一方のコネクタ６７のハウジング６９の先端を挿入することにより、係合孔７３にコネクタ固定用アーム６５を係合させて、一方のコネクタ６７を被着体６１に仮係止状態にして保持する。一方のコネクタ６７は、係合孔７３にコネクタ固定用アーム６５を係合するとともに、凸部７１がコネクタ固定用アーム６５に当接して被着体６１からの脱落が阻止される。
【００１７】
次いで、一方のコネクタ６７を挿入した面と反対側の面から、他方のコネクタ７５を挿入し、一方のコネクタ６７の先端に、他方のコネクタ７５のフード部８１を挿入する。この際、一方のコネクタ６７は、コネクタ固定用アーム６５により保持された状態を維持し、他方のコネクタ７５が更に挿入されることにより、一方のコネクタ６７と他方のコネクタ７５とは、完全嵌合状態となる。
この状態で、他方のコネクタ７５を更に挿入方向に押し込むと、他方のコネクタ７５のフード部８１の先端がコネクタ固定用アーム６５に当接し、コネクタ固定用アーム６５を変形させることにより、コネクタ固定用アーム６５と一方のコネクタ６７との係合を解除する。
【００１８】
更に、他方のコネクタ７５を押し込むことにより、一方のコネクタ６７は、被着体６１から脱落した状態となる。その後、他方のコネクタ７５のフード部８１外周に設けたコネクタ固定用孔８３にコネクタ固定用アーム６５が係合して、他方のコネクタ７５が被着体６１に固定されることとなる。従って、被着体６１から脱落した一方のコネクタ６７は、他方のコネクタ７５と嵌合状態にあるため、他方のコネクタ７５を介して間接的に被着体６１に固定された状態となる。他方のコネクタ７５は、コネクタ固定用孔８３にコネクタ固定用アーム６５が係合するとともに、ハウジング７７後方の凸部７９がコネクタ固定用アーム６５に当接することで、被着体６１に確実に固定される。
【００１９】
このコネクタ嵌合方法によれば、一方のコネクタ６７と、他方のコネクタ７５との嵌合と同時に、一方のコネクタ６７が被着体６１から脱落するので、両コネクタ６７、７５の嵌合確認を容易にすることができる。
【００２０】
また、このコネクタによれば、一方のコネクタ６７に係合孔７３を設け、他方のコネクタ７５にコネクタ固定用孔８３を設け、両方の孔７３、８３に係合するコネクタ固定用アーム６５を取付穴６３に設けたので、仮係止状態で一方のコネクタ６７を被着体６１に保持することができるとともに、嵌合時には一方のコネクタ６７を脱落させ、更に、他方のコネクタ７５を被着体６１に固定することができる。
【００２１】
次に、本発明の第二実施形態を図３、図４に基づき説明する。図３は本発明の第二実施形態を説明する分解斜視図、図４は第二実施形態によるコネクタ嵌合方法の手順を示す説明図である。
被着体６１には、矩形状の取付穴６３を穿設してある。例えばメス端子を装着したメスコネクタである一方のコネクタ９１のハウジング９３の後部上下面には仮係止手段（凸部）９５を形成してあり、凸部９５は取付穴６３より外形を大きく形成してある。また、ハウジング９３の前部上下面には、基端をハウジング９３に連設し、先端をハウジング９３の後方へ向けて開くようにした一対の仮係止手段（仮固定片）９７を設けてある。仮固定片９７は、通常状態で、ハの字状に開いた状態を維持し、上下方向から押圧されることで、ハウジング９３の上下面と平行に閉じるようになっている。従って、一方のコネクタ９１は、ハウジング９３の先端側を取付穴６３に挿入することで、通過時に閉じた仮固定片９７が、被着体６１の反対面で再び開き、仮固定片９７の先端と凸部９５とで被着体６１を挟持して、被着体６１に取り付けられるようになっている。
【００２２】
例えばオス端子を装着したオスコネクタである他方のコネクタ１０１のハウジング１０３の後部上下面には、本係止手段（凸部）１０５を形成してあり、凸部１０５は取付穴６３より外形を大きく形成してある。他方のコネクタ１０１のハウジング１０３の先端は、一方のコネクタ９１の先端を収容するフード部１０７となっている。このフード部１０７の外形は、取付穴６３より小さく形成されている。フード部１０７の上下面には、基端をハウジング１０３に連設し、先端をハウジング１０３の後方へ向けて開くようにした一対の本係止手段（本固定片）１１１を設けてある。本固定片１１１は、通常状態で、ハの字状に開いた状態を維持し、上下方向から押圧されることで、ハウジング１０３の上下面と平行に閉じるようになっている。
【００２３】
次に、この実施形態によるコネクタ嵌合方法を説明する。
図４に示すように、一方のコネクタ９１は、先端部を取付穴６３に挿入することで、仮固定片９７が被着体６１の反対側の面で開き、仮固定片９７と凸部９５とにより、取付穴６３の縁部を挟持して被着体６１に仮係止される。
【００２４】
次いで、一方のコネクタ９１を挿入した面と反対側の面から、他方のコネクタ１０１を挿入し、一方のコネクタ９１の先端に、他方のコネクタ１０１のフード部１０７を挿入する。この際、一方のコネクタ９１は、仮固定片９７が取付穴６３に係止しているため、被着体６１から脱落することなく、他方のコネクタ１０１と完全嵌合状態となる。
【００２５】
嵌合と同時に、一方のコネクタ９１の仮固定片９７は、他方のコネクタ１０１のフード部１０７内に挿入されることで、折り畳まれ、取付穴６３との係止が解除される。従って、この状態で他方のコネクタ１０１が更に挿入されることで、一方のコネクタ９１は被着体６１から脱落する。
他方のコネクタ１０１を更に挿入することで、他方のコネクタ１０１の本固定片１１１が取付穴６３を通過した後に開き、他方のコネクタ１０１は、本固定片１１１と凸部１０５とにより、取付穴６３の縁部を挟持して、被着体６１に固定されることとなる。従って、脱落した一方のコネクタ９１は、他方のコネクタ１０１と嵌合状態にあるため、他方のコネクタ１０１を介して間接的に被着体６１に固定された状態となる。
【００２６】
このコネクタ嵌合方法によれば、一方のコネクタ９１と、他方のコネクタ１０１との嵌合と同時に、一方のコネクタ９１が被着体６１から脱落するので、両コネクタ９１、１０１の嵌合確認を容易にすることができる。
【００２７】
また、このコネクタによれば、一方のコネクタ９１に仮固定片９７を設け、ハの字状に開いたこの仮固定片９７を被着体６１に係止して、他方のコネクタ１０１との嵌合を行うので、上述の第一実施形態に比べて、コネクタ嵌合時の仮係止強度を高くすることができ、他方のコネクタ１０１を確実に一方のコネクタ９１に嵌合させることができる。
【００２８】
次に、本発明の第三実施形態を図５乃至図７に基づき説明する。図５は本発明の第三実施形態を説明する分解斜視図、図６は一方のコネクタを（Ｂ）、他方のコネクタを（Ａ）で示した断面図、図７は第三実施形態によるコネクタ嵌合方法の手順を示す説明図である。
被着体６１には、矩形状の取付穴６３を穿設してある。一方のコネクタ１２１のハウジング１２３の後部上下面には基端をハウジング１２３に連設し、自由端となった先端側をハウジング１２３の前方側に突出させた仮係止手段（弾性アーム）１２５をそれぞれ設けてある。
【００２９】
弾性アーム１２５の外面には、山形に突出した仮係止手段（セミロック突起）１２７を設けてあり、セミロック突起１２７は取付穴６３に挿入離脱可能に仮係止するようになっている。また、ハウジング１２３の後部の左右側面には、基端を連設し、先端をハウジング１２３の前方に突出させた仮係止手段（補助アーム）１２９を設けてある。補助アーム１２９の先端側には、被着体６１の面に当接する当接面１２９ａを形成してある。従って、一方のコネクタ１２１は、ハウジング１２３の先端側を取付穴６３に挿入することで、弾性アーム１２５のセミロック突起１２７が取付穴６３を通過して、取付穴６３の裏側に係止するとともに、補助アーム１２９の当接面１２９ａが被着体６１の表側の面に当接して、セミロック突起１２７と補助アーム１２９とで被着体６１を挟持して、被着体６１に仮係止されるようになっている。弾性アーム１２５の先端内側には、後述の他方のコネクタと結合するための突起状の結合ロック１３１を設けてある。
【００３０】
他方のコネクタ１３３のハウジング１３５の後方には本係止手段（凸部）１３７を設けてあり、凸部１３７は取付穴６３より外形を大きく形成してある。ハウジング１３５の先端には、一方のコネクタ１２１の先端を収容するフード部１３９を形成してある。フード部１３９の先端上下面には、一方のコネクタ１２１の結合ロック１３１と係合する結合突起１４１を設けてある。また、フード部１３９の上下面及び左右の側面には、基端を連設し、先端をハウジング１３５の後方へ向けて開くようにした本係止手段（本固定片）１４３を設けてある。本固定片１４３は、通常状態で、ハの字状に開いた状態を維持し、上下方向から押圧されることで、ハウジング１３５の外面と平行に閉じるようになっている。
【００３１】
次に、この実施形態によるコネクタ嵌合方法を説明する。
図７に示すように、一方のコネクタ１２１は、ハウジング１３５の先端側を取付穴６３に挿入することで、弾性アーム１２５のセミロック突起１２７が取付穴６３の裏面に係止するとともに、補助アーム１２９の当接面１２９ａが取付穴６３の表面に当接して、被着体６１に仮係止状態となる。
次いで、一方のコネクタ１２１を挿入した面と反対側の面から、他方のコネクタ１３３を挿入することにより、弾性アーム１２５が他方のコネクタ１３３の結合突起１４１に乗り上げ、弾性アーム１２５が押し広げられることとなる。これにより、一方のコネクタ１２１は、セミロック突起１２７が取付穴６３の内周に押しつけられ、取付穴６３への固定が更に強固なものとなる。
【００３２】
この状態で、他方のコネクタ１３３が更に挿入されることで、一方のコネクタ１２１の先端が、他方のコネクタ１３３のフード部１３９内に収容されて、嵌合が完了する。嵌合が完了すると同時に、弾性アーム１２５の結合ロック１３１が結合突起１４１を乗り越え、結合ロック１３１と結合突起１４１とが係合することで、一方のコネクタ１２１と他方のコネクタ１３３とが嵌合状態でロックされる。
【００３３】
更に、他方のコネクタ１３３を挿入方向に押し込むことで、弾性アーム１２５が内側に変形し、セミロック突起１２７が取付穴６３から外れて、一方のコネクタ１２１が取付穴６３から脱落することとなる。この際、セミロック突起１２７が取付穴６３から外れることによるクリック感（節度感）が発生し、このクリック感により両コネクタ１２１、１３３の完全嵌合が確認されることになる。その後、他方のコネクタ１３３を更に挿入することにより、他方のコネクタ１３３の本固定片１４３が取付穴６３を通過し、取付穴６３の裏面で開くことにより、他方のコネクタ１３３は本固定片１４３と凸部１３７とで取付穴６３の縁部を挟持して被着体６１に固定されることとなる。従って、取付穴６３から脱落した一方のコネクタ１２１は、嵌合ロック状態の他方のコネクタ１３３を介して被着体６１に固定された状態となる。
【００３４】
このコネクタ嵌合方法によれば、一方のコネクタ１２１と、他方のコネクタ１３３との嵌合と同時に、一方のコネクタ１２１が被着体６１から脱落するので、その際に発生するクリック感により、両コネクタ１２１、１３３の嵌合確認を容易にすることができる。これに加えて、他方のコネクタ１３３の挿入時に、弾性アーム１２５を拡げてセミロック突起１２７を取付穴６３に押しつけるので、一方のコネクタ１２１を一時的に強固に仮固定することができ、嵌合前における一方のコネクタ１２１の離脱を確実に防止することができる。
【００３５】
また、このコネクタによれば、弾性アーム１２５にセミロック突起１２７を設け、他方のコネクタ１３３の挿入力により、弾性アーム１２５を弾性変形させてセミロック突起１２７を取付穴６３から外すようにしたので、一方のコネクタ１２１と他方のコネクタ１３３との嵌合時に、クリック感を発生させることができる。
【００３６】
次に、本発明の第四実施形態を図８乃至図１０に基づき説明する。図８は本発明の第四実施形態を説明する分解斜視図、図９は他方のコネクタの断面図、図１０は第四実施形態によるコネクタ嵌合方法の手順を示す説明図である。
この実施形態では、上述の第三実施形態と同じ一方のコネクタ１２１を用いるので、その説明は省略する。
【００３７】
一方、他方のコネクタ１５１のハウジング１５３内には、電線とハウジング内壁とを防水シールするゴム栓１５４が装着されている。他方のコネクタ１５１のハウジング１５３の外周には、本係止手段（グロメット）１５５を嵌着してあり、グロメット１５５の外周には周溝１５７を形成してある。この周溝１５７には、取付穴６３の縁部全周が嵌入するようになっている。周溝１５７を挟むリップ部１５９ａ、１５９ｂは、ハウジング１５３の先端側のリップ部１５９ａの外形が、ハウジング１５３の後端側のリップ部１５９ｂの外形より小さくなっている。つまり、グロメット１５５は、先端側のリップ部１５９ａを取付穴６３に押し込むことにより、周溝１５７を取付穴６３の縁部に嵌入できるようになっている。また、後端側のリップ部１５９ｂの背面には、取付穴６３より大きい外形のフランジ部１５９を設けてあり、フランジ部１５９は後端側のリップ部１５９ｂの取付穴６３からの外れを阻止している。ハウジング１５３の先端には、一方のコネクタ１２１の先端を収容するフード部１３９を形成してある。フード部１３９の先端上下面には、一方のコネクタ１２１の結合ロック１３１と係合する結合突起１４１を設けてある。
【００３８】
次に、この実施形態によるコネクタ嵌合方法を説明する。
図１０に示すように、一方のコネクタ１２１は、ハウジング１３５の先端側を取付穴６３に挿入することで、弾性アーム１２５のセミロック突起１２７が取付穴６３の裏面に係止するとともに、補助アーム１２９の当接面１２９ａが取付穴６３の表面に当接して、被着体６１に仮係止状態となる。
次いで、一方のコネクタ１２１を挿入した面と反対側の面から、他方のコネクタ１５１を挿入することにより、弾性アーム１２５が他方のコネクタ１５１の結合突起１４１に乗り上げ、弾性アーム１２５が押し広げられることとなる。これにより、一方のコネクタ１２１は、セミロック突起１２７が取付穴６３の内周に押しつけられ、取付穴６３への固定が更に強固なものとなる。
【００３９】
この状態で、他方のコネクタ１５１が更に挿入されることで、一方のコネクタ１２１の先端が、他方のコネクタ１５１のフード部１３９内に収容されて、嵌合が完了する。嵌合が完了すると同時に、弾性アーム１２５の結合ロック１３１が結合突起１４１を乗り越え、結合ロック１３１と結合突起１４１とが係合することで、一方のコネクタ１２１と他方のコネクタ１５１とが嵌合状態でロックされる。
【００４０】
更に、他方のコネクタ１５１を挿入方向に押し込むことで、弾性アーム１２５が内側に変形し、セミロック突起１２７が取付穴６３から外れて、一方のコネクタ１２１が取付穴６３から脱落することとなる。この際、セミロック突起１２７が取付穴６３から外れることによるクリック感（節度感）が発生し、このクリック感により両コネクタ１２１、１５１の完全嵌合が確認されることになる。その後、他方のコネクタ１５１を更に挿入することにより、他方のコネクタ１５１のグロメット１５５のリップ部１５９ａが取付穴６３に押し込まれ、グロメット１５５の周溝１５７に取付穴６３の縁部が嵌入してグロメット１５５を介して他方のコネクタ１５１が被着体６１に固定されることとなる。従って、取付穴６３から脱落した一方のコネクタ１２１は、嵌合ロック状態の他方のコネクタ１５１を介して被着体６１に固定された状態となる。
【００４１】
このコネクタ嵌合方法によれば、一方のコネクタ１２１と、他方のコネクタ１５１との嵌合と同時に、一方のコネクタ１２１が被着体６１から脱落するので、その際に発生するクリック感により、両コネクタ１２１、１５１の嵌合確認を容易にすることができる。これに加えて、他方のコネクタ１５１の挿入時に、弾性アーム１２５を拡げてセミロック突起１２７を取付穴６３に押しつけるので、一方のコネクタ１２１を一時的に強固に仮固定することができ、嵌合前における一方のコネクタ１２１の離脱を確実に防止することができる。更に、他方のコネクタ１５１の挿入方向の一連の動作により、他方のコネクタ１５１を被着体６１へ防水固定できるので、嵌合作業及び防水処理とを極めて容易に行うことができる。
【００４２】
また、このコネクタによれば、他方のコネクタ１５１に設けたゴム栓１５４、及びグロメット１５５のみにより、一方のコネクタ１２１に防水用部材を用いることなく、取付穴６３とコネクタとの間を防水シールすることができ、少ない部品点数での防水シールを可能にすることができる。
【００４３】
次に、本発明の第五実施形態を図１１乃至図１２に基づき説明する。図１１は本発明の第五実施形態を説明する分解斜視図、図１２はコネクタの仮止状態を示す断面図である。
この実施形態では、上述の第四実施形態と同じ他方のコネクタ１５１を用いるとともに、基本的操作においても同様の部分については、その説明は適宜省略する。
【００４４】
本実施形態における特徴的構成は、図１１に示すように、仮係止手段としては、
一方のコネクタ２２１の外面に突設した弾性アーム２２５と、該弾性アーム２２５の外面に形成され取付穴６３の表裏両縁側に係合可能な一対のセミロック突起２２７，２２８とからなる構成である。
したがって、仮係止状態は、図１２に示すように、セミロック突起２２７と２２８とが、被着体６１をしっかりと挟持するように取付られる。
なお、本実施形態においては、セミロック突起２２７と２２８とによって、取付穴６３の縁部に対応する溝が形成されている。さらに、この溝の長さが長く構成されていることにより、一方のコネクタ２２１の回転方向の係止が確実になる。
また、本実施形態においては、一方のコネクタ２２１において、取付穴６３の縁部に対面する全ての外面に、弾性アーム２２５が設けられている。
本実施形態のコネクタのように、仮係止手段が、一方のコネクタ２２１の外面に突設した弾性アーム２２５と、該弾性アーム２２５の外面に形成され取付穴６３の表裏両縁側に係合可能な一対のセミロック突起２２７，２２８とから構成されることにより、仮係止状態が極めてしっかり固定できる。
さらに、一方のコネクタ２２５において、取付穴６３の縁部に対面する全ての外面に、弾性アーム２２５が設けられた構成によれば、仮係止状態がしっかりかつセンター出しも確実にできる。
【００４５】
次に、本発明の第六実施形態を図１３乃至図１４に基づき説明する。図１３は本発明の第六実施形態を説明する分解斜視図、図１４はコネクタ嵌合方法の手順を示す説明図である。
この実施形態では、上述の第四実施形態と同じ一方のコネクタ１２１を用いるとともに、基本的操作においても同様の部分については、その説明は適宜省略する。
本実施形態においては、本係止手段は、他方のコネクタ２５１の胴部外周２５３に、該コネクタ後方に向かって先端が張り出し、かつ取付穴６３の縁部の一方側に係合可能な係止突起２５４ａを備えた一対の弾性係止片２５４と、胴部外周２５３の後端に嵌着され、取付穴６３の縁部の他方側に係合可能な係合部２５５ａを備えたグロメット２５１とからなる。
そして、係止突起２５４ａと係合部２５５ａとにより、取付穴６３の縁部を挟持するように構成されている。
【００４６】
次に、この実施形態によるコネクタ嵌合方法を説明する。
図１４および図１３を参照して示すように、一方のコネクタ１２１は、ハウジングの先端側を取付穴６３に挿入することで、弾性アーム１２５のセミロック突起１２７が取付穴６３の裏面に係止するとともに、補助アーム１２９の当接面１２９ａが取付穴６３の表面に当接して、被着体６１に仮係止状態となる。
次いで、一方のコネクタ１２１を挿入した面と反対側の面から、他方のコネクタ２５１を挿入することにより、弾性アーム１２５が他方のコネクタ２５１の結合突起２４１に乗り上げ、弾性アーム１２５が押し広げられることとなる。これにより、一方のコネクタ１２１は、セミロック突起１２７が取付穴６３の内周に押しつけられ、取付穴６３への固定が更に強固なものとなる。
【００４７】
この状態で、他方のコネクタ２５１が更に挿入されることで、一方のコネクタ１２１の先端が、他方のコネクタ２５１のフード部２３９内に収容されて、嵌合が完了する。嵌合が完了すると同時に、弾性アーム１２５の結合ロック１３１が結合突起２４１を乗り越え、結合ロック１３１と結合突起２４１とが係合することで、一方のコネクタ１２１と他方のコネクタ２５１とが嵌合状態でロックされる。
【００４８】
更に、他方のコネクタ２５１を挿入方向に押し込むことで、弾性アーム１２５が内側に変形し、セミロック突起１２７が取付穴６３から外れて、一方のコネクタ１２１が取付穴６３から脱落することとなる。この際、セミロック突起１２７が取付穴６３から外れることによるクリック感（節度感）が発生し、このクリック感により両コネクタ１２１、２５１の完全嵌合が確認されることになる。その後、他方のコネクタ２５１を更に挿入することにより、他方のコネクタ２５１の弾性係止片２５４が内側に撓み、係止突起２５４ａが取付穴６３を乗り越える。この結果、グロメット２５５の係合部２５５ａ（リップ部）が取付穴６３に押し込まれ、グロメット２５５と弾性係止片２５４とを介して他方のコネクタ２５１が被着体６１に固定されることとなる。
従って、取付穴６３から脱落した一方のコネクタ１２１は、嵌合ロック状態の他方のコネクタ２５１を介して被着体６１に固定された状態となる。
【００４９】
また、このコネクタによれば、グロメット２５５により、他の防水用部材を用いることなく、取付穴６３とコネクタとの間を防水シールすることができ、少ない部品点数での防水シールを可能にすることができる。なお、ゴム栓２７０は、他方のコネクタ２５１内に装着されて電線とハウジング内壁とを防水シールしている。
【００５０】
また、グロメット２５５と電線の周囲に配置されるゴム栓２７０とは一体成形された構成とすることができる。このような一体成形の構造であると、部品点数が少なくなるとともに、防水機能をさらに高めることができる。
【００５１】
また、グロメット２５５の構成については、例えば、図１５に示すように変更することができる。
図１５に示す特徴的な構成は、他方のコネクタ２５１とグロメット２５５とが外れないようなロック構造となっていることである。すなわち、他方のコネクタ２５１の先端には、該コネクタの径方向に張り出した鍔状の係止突起２５６が設けられており、一方、グロメット２５５には、係止凹部２６１が設けられており、係止突起２５６と係止凹部２６１とが嵌合している。
このように、他方のコネクタ２５１にグロメット２５５がしっかりと固定されていることにより、該コネクタ２５１とグロメット２５５との密着性が向上するだけでなく、グロメット２５５が係合部２５５ａを被着体６１に当接させる圧力を強くするように設定することができ、被着体６１とグロメット２５５との密着性を高めることができる。したがって、このようなグロメットの固定構造であると、非常に優れた防水固定構造を提供することができる。
又、グロメット２５５が上記のようにしっかりと固定される構造であると、図１５のごとく、比較的長い蛇腹部２６０を設けて、電線による不測の力が作用し易い構造としても、グロメット２５５の脱落や防水機能の低下等を回避することができる。
【００５２】
次に、本発明の第六実施形態を図１６乃至図１７に基づき説明する。図１６は本発明の第七実施形態を説明する分解斜視図、図１７はコネクタ嵌合方法の手順における仮係止解除方法を示す説明図である。なお、図１７は、他方のコネクタ並びに被着体を断面にて示した部分断面図である。
この第七実施形態では、本実施形態の特徴部分以外は図８に示した第四実施形態と基本的に同じ構成であるので、基本的操作においても同様の部分については、その説明は適宜省略する。
本実施形態の特徴的な構成としては、仮係止手段は、一方のコネクタ３２１の外面に突設した可撓性を有する弾性アーム３２５を備え、該弾性アーム３２５の外面に形成され前記取付穴６３に係止するセミロック突起３２７が形成されている。
そして、更に、前記弾性ア−ム３２５の側面に連結され且つ該弾性ア−ムの先端よりも更に先端側に張出した誘い込み傾斜面３２８ａを有するハネ３２８とを備えている。
一方、他方のコネクタ３５１には、前記ハネ３２８を撓ませて収納するハネ収納部３３８が四つ設けられている。
【００５３】
次に、この第七実施形態によるコネクタ嵌合方法を説明する。
図１６および図１７を参照して示すように、一方のコネクタ３２１は、ハウジングの先端側を取付穴６３に挿入することで、弾性アーム３２５のセミロック突起３２７並びに後述するハネ３２８の上端が取付穴６３の裏面に係止するとともに、補助アーム３２９の当接面３２９ａが取付穴６３の表面に当接して、被着体６１に仮係止状態となる（図１７のＡに示す状態）。
なお、図１７においては、弾性ア−ム３２５及びハネ３２８を示すような向きで図示してあるので、当接面３２９ａの被着体６１との当接状態は図示されていない。
【００５４】
次いで、一方のコネクタ３２１を挿入した面と反対側の面から、図１７のＢに示すように、他方のコネクタ３５１を挿入することにより、弾性アーム３２５が他方のコネクタ３５１の結合突起３４１に乗り上げ、弾性アーム３２５が若干押し広げられることとなる。
また、本実施形態においては、一方のコネクタ３２１と他方のコネクタ３５１と嵌合が開始されるときに、ハネ３２８はその傾斜面３２８ａが、他方のコネクタ３５１のハネ収納部３３８の内壁の縁部に当接する（図１７のＢの状態）。そして、さらに押し込む操作により、ハネ３２８は、ハネ収容部３３８に撓みながら押し込まれ、該ハネ収納部３３８内に収納されていく。この他方のコネクタ３５１の挿入のとき、ハネ３２８が他方のコネクタ３５１の挿入動作のガイド機能を発揮するので、斜め挿入を回避でき、両部材の嵌合係止を確実に行うことができる。
【００５５】
前掲のようにハネ３２８が撓むことにより、仮係止のロック状態が解除される。また、この撓みに連動して弾性ア−ム３２５を内方（取付穴６３の縁部か離れる方向）に撓ませることができるので、一方のコネクタ３２１の弾性ア−ム３２５のセミロック突起３２７を、取付穴６３に対してその仮係止状態から解除方向に若干移動するように動作させることもできる。
【００５６】
さらにまた、他方のコネクタ３５１を更に挿入することで、第四実施形態の場合と同様に、一方のコネクタ３２１の先端が、他方のコネクタ３５１のフード部内に収容されて、嵌合が完了し、一方のコネクタ３２１と他方のコネクタ３５１とが、嵌合状態でロックされる。
【００５７】
引き続いて更に、他方のコネクタ３５１を挿入方向に押し込むことで、セミロック突起３２７が取付穴６３から外れて、一方のコネクタ３２１が取付穴６３から脱落することとなる。この結果、グロメット３５５の係合部３５５ａ（リップ部）が取付穴６３に押し込まれ、他方のコネクタ３５１が被着体６１に固定されることとなる。
【００５８】
【発明の効果】
以上詳細に説明したように、本発明に係るコネクタ嵌合方法によれば、一方のコネクタと、他方のコネクタとの嵌合と同時に、一方のコネクタが被着体から脱落するので、両コネクタの嵌合確認を容易にすることができる。
また、その際に発生するクリック感により、両コネクタの嵌合確認をより明確なものにすることができる。これに加えて、他方のコネクタの挿入時に、弾性アームを拡げてセミロック突起を取付穴に押しつけることとすれば、嵌合前における一方のコネクタの離脱を確実に防止することができる。
更に、他方のコネクタの胴部外周にグロメットを嵌着すれば、他方のコネクタの挿入方向の一連の動作により、他方のコネクタを被着体へ防水固定できるので、嵌合作業及び防水処理とを極めて容易に行うことができる。
本発明に係るコネクタによれば、他方のコネクタの挿入力により解除可能な仮係止手段によって、一方のコネクタを仮係止し、且つ他方のコネクタには本係止手段を設けたので、仮係止状態の一方のコネクタに、他方のコネクタを完全嵌合させた後、一方のコネクタの仮係止を解除して他方のコネクタを本係止することができる。
そして、一方のコネクタに係合孔を設け、他方のコネクタにコネクタ固定用孔を設け、両方の孔に係合するコネクタ固定用アームを取付穴に設けることで、仮係止状態で一方のコネクタを被着体に保持することができるとともに、嵌合時には一方のコネクタを脱落させ、更に、他方のコネクタを被着体に固定することができる。
また、一方のコネクタに仮固定片を設け、ハの字状に開いたこの仮固定片を被着体に係止する構造とすれば、コネクタ嵌合時の一方のコネクタの仮係止強度を高めることができる。
また、弾性アームにセミロック突起を設け、他方のコネクタの挿入力により、弾性アームを弾性変形させてセミロック突起を取付穴から外すようにすれば、一方のコネクタと他方のコネクタとの嵌合時に、クリック感を発生させることができる。
更に、他方のコネクタの胴部外周に設けたグロメットを本係止手段として、他方のコネクタを被着体へ固定すれば、一方のコネクタに防水用部材を用いることなく、取付穴とコネクタとの間を防水固定でき、少ない部品点数での防水シールが可能となる。
【００５９】
また、本発明に係るコネクタにおいて、仮係止手段が、一方のコネクタの外面に突設した弾性アームと、該弾性アームの外面に形成され取付穴の表裏両縁側に係合可能な一対のセミロック突起とから構成される場合には、仮係止状態がしっかり固定でき、取付穴の縁部に対面する全ての外面に、弾性アームが設けられた構成によれば、仮係止状態がしっかりかつセンター出しも確実にできる。
更に、本発明に係るコネクタにおいて、本係止手段が、他方のコネクタの胴部外周に、該コネクタ後方に向かって先端が張り出し、かつ取付穴の縁部の一方側に係合可能な係止突起を備えた少なくとも一対の弾性係止片と、胴部外周の後端に嵌着され、取付穴の縁部の他方側に係合可能な係合部を備えたグロメットとからなり、係止突起と係合部とにより、取付穴の縁部を挟持する構成によれば、一方のコネクタに防水用部材を用いることなく、取付穴とコネクタとの間が防水シール可能となるだけでなく、弾性係止片を撓ませることにより、本係止状態を解除することが容易にできる。
また、本発明に係るコネクタにおいて、仮係止手段が、前記一方のコネクタの外面に突設した可撓性を有する弾性アームを備え、該弾性ア−ムの側面に連結されて、前記取付穴に該一方のコネクタを係止可能に張り出し、かつ該弾性ア−ムの先端よりも更に先端側に張出した誘い込み傾斜面を有するハネとを備えており、前記他方のコネクタには、前記ハネを撓ませて収納するハネ収納部を備えた構成によれば、この他方のコネクタの挿入のとき、ハネが他方のコネクタの挿入動作のガイド機能を発揮するので、斜め挿入を回避でき、両部材の嵌合係止を確実に行うことができ、コネクタの嵌合操作性の向上とともに嵌合ミスを回避することができる。
【図面の簡単な説明】
【図１】本発明の第一実施形態を説明する分解斜視図である。
【図２】第一実施形態によるコネクタ嵌合方法の手順を示す説明図である。
【図３】本発明の第二実施形態を説明する分解斜視図である。
【図４】第二実施形態によるコネクタ嵌合方法の手順を示す説明図である。
【図５】本発明の第三実施形態を説明する分解斜視図である。
【図６】一方のコネクタを（Ｂ）、他方のコネクタを（Ａ）で示した断面図である。
【図７】第三実施形態によるコネクタ嵌合方法の手順を示す説明図である。
【図８】本発明の第四実施形態を説明する分解斜視図である。
【図９】他方のコネクタの断面図である。
【図１０】第四実施形態によるコネクタ嵌合方法の手順を示す説明図である。
【図１１】本発明の第五実施形態を説明する分解斜視図である。
【図１２】図１１に示すコネクタの断面図である。
【図１３】本発明の第六実施形態を説明する分解斜視図である。
【図１４】第六実施形態によるコネクタ嵌合方法の手順を示す説明図である。
【図１５】本発明の第六実施形態の変形例を示すコネクタの断面図である。
【図１６】本発明の第七実施形態を説明する分解斜視図である。
【図１７】第七実施形態のコネクタ嵌合方法の手順を示す概略説明図である。
【図１８】配索方法を説明するドアの分解斜視図である。
【図１９】トリム側コネクタの支持構造を示す分解斜視図である。
【図２０】フレーム側コネクタの支持構造を示す分解斜視図である。
【図２１】従来の防水コネクタの分解斜視図である。
【符号の説明】
６１  被着体
６３  取付穴
６５  コネクタ固定用アーム（仮係止手段）
６７、９１、１２１  一方のコネクタ
７３  係合孔（仮係止手段）
７５、１０１、１３３、１５１  他方のコネクタ
８３  コネクタ固定用孔（本係止手段）
９５  凸部（仮係止手段）
９７  仮固定片（仮係止手段）
１０５  凸部（本係止手段）
１１１  本固定片（本係止手段）
１２５  弾性アーム（仮係止手段）
１２７  セミロック突起（仮係止手段）
１２９  補助アーム（仮係止手段）
１３７  凸部（本係止手段）
１４３  本固定片（本係止手段）
１５５  グロメット（本係止手段）
１５７  周溝
【図１】
0003547034.tif 000002
【図２】
0003547034.tif 000003
【図３】
0003547034.tif 000004
【図４】
0003547034.tif 000005
【図５】
0003547034.tif 000006
【図６】
0003547034.tif 000007
【図７】
0003547034.tif 000008
【図８】
0003547034.tif 000009
【図９】
0003547034.tif 000010
【図１０】
0003547034.tif 000011
【図１１】
0003547034.tif 000012
【図１２】
0003547034.tif 000013
【図１３】
0003547034.tif 000014
【図１４】
0003547034.tif 000015
【図１５】
0003547034.tif 000016
【図１６】
0003547034.tif 000017
【図１７】
0003547034.tif 000018
【図１８】
0003547034.tif 000019
【図１９】
0003547034.tif 000020
【図２０】
0003547034.tif 000021
【図２１】
0003547034.tif 000022